(57)【要約】【課題】  従来のベルトとバックルの組合せは、一端差込式ベルトの他端に一方向受止式バックルを固定装着して使用していた、このため色々と問題が生じた。【解決の手段】  そこで両端差込式ベルと双方向受止式バックルの組合せを発明した。両端差込式であるから、一端差込式より２倍の長さ調節が出来る。その上双方向受止式バックルであるから他のベルトとの連結が出来、長さ調節が楽に行なえる。  ベルトに引張応力が発生した時に、上下のベルトが互いに重なり合う様に心針を傾斜させた双方向受止式有穴用バックルでは、心針の保持が簡単に出来るので安価に製造出来る。またこのバックルに使用するベルトは、左右で違う穴間隔にすると、その差だけ長さの微調整が出来る両端差込式有穴ベルトとの組合せ。  ベルトに引張応力が発生すると上側のベルトが下側のベルトを押圧してベルトの抜け出しを阻止し、９０°回転させることにより、バックルの取り付け、取り外しが簡単に行なえる双方向受止式無穴用バックルと、両端差込式ベルトとの組合せ。【選択図】図３
2010246877.tif 000002
【特許請求の範囲】
【請求項１】
ベルトに引張応力が働いた時に、下側のベルトは上方に、上側のベルトは下方に移動する様に心針を傾斜させた双方向受止式有穴用バックルと、ベルトの左側半分と、右側半分とでベルトの穴間隔を変化させた両端差込式有穴ベルトの組合せ。
【請求項２】
ベルトに引張応力が働いた時に、上側のベルトが下側のベルトを押圧して、面全体でベルトの抜け出し阻止を計り、９０°回転することにより、バックルの取り付け取外しが簡単に行なえるようにした、双方向受止式無穴用バックルと、両端差込式無穴ベルトか、両端差込式有穴ベルトの組合せ。
【発明の詳細な説明】
【技術分野】
【０００１】  本発明は、ベルトとバックルの組合せに関するものである。
【背景技術】
【０００２】  従来のベルトとバックルの組合せは、一端差込式ベルトの他端に、一方向受止式バックルを固定装着していたので色々と問題があった。
【発明の概要】
【発明が解決しようとする課題】
【０００３】  従来のベルトは、一端固定式の為、長さ調節が困難で、長めのベルトを作成し使用者が自分の身体に合せて、固定端を切断して使用していた。【０００４】  一端固定式ベルトであるから、特定ヶ所での使用頻度が高かく、他の部分は健全なのにその部分の損傷が激しく、ベルトとしての使用に耐え無くなっていた。【０００５】  左きき、右ききによって、ベルト通しに差込む方向と、ベルトの裏表を確認しながら、ベルト通しに差込む必要があった。【０００６】  ベルトの裏表を使い分けるためには、一旦バックルをベルトから取外し改めて取り付ける必要があった。【０００７】  有穴ベルトでは、締付け巾が５ｃｍ程度と大きく変化して、微調整がきかなかった。【０００８】  無穴ベルトでは、最大抜出し力に対抗するために、強力な機巧で押さえつけていた為、ベルトの損傷が激しかったり、その機巧そのものが損傷して、使用不能となっていた。
【課題を解決するための手段】
【０００９】  そこで両端差込式ベルトと、双方向受止式バックルの組合せを発明した。両端差込式ベルトであるから、両端で長さ調節が出来るので、一端固定式ベルトの２倍の長さ調節が可能である。【００１０】  双方向受止式有穴用バックルの使用中の断面図は図３で、図の様に心針を傾斜させておくと、ベルトに引張応力が働くと、下側のベルトは心針の傾斜に沿って上方に移動し、上側のベルトは心針の傾斜に沿って下方に移動する。したがって上側と下側のベルトは互に押し合う形となり、ほぼ一直線に近くなり、回転モーメントはほとんど発生せず、引張る力は、上側と下側のベルト共同じ力で方向が逆なので相殺される、但し心針に対する剪断応力は発生するので、これに対抗できる材料の心針なら何んでも良い。しかも回転モーメントがほとんど発生しないので、心針の保持には、強固にする必要がないので、図４の様に針金細工でも良く、図４はたまたま三角形を２つ並べた形であるが、円形や四角形でも効果は同じである。【００１１】  両端差込式有穴ベルトは、左半分と右半分で、穴の間隔を変化させる。例えば左側は５ｃｍの穴間隔、右側は４ｃｍの穴間隔にしておくと、心針で止めてあった穴の位置から右側に一穴移動すると１ｃｍ長くなり、左側に一穴移動すると１ｃｍ短くなる、すなわち左右の穴間隔の差だけ微調整が可能となる。さらに双方向受止式バックルであるから、他のベルトとも連結出来るので、他のベルトは５ｃｍと３ｃｍの穴間隔にすれば、一穴の移動で１〜５ｃｍの移動が可能となる。【００１２】  双方向受止式有穴用バックルの心針の先端部には、特段の負荷が掛らないので宝石等を埋め込める。心針は細いので小粒で良く、しかも使用中はベルトの上に突起状に出るので小さくてもその存在感は大きい。【００１３】  双方向受止式無穴用バックルは、図５の様に可動部分が無いので故障が無い、又単一部品なので安価に製造出来る。【００１４】  図７は双方向受止式無穴用バックルの使用中断面図であるが、図の様にベルトが上下に重なっているので、ベルトに引張応力が働くと、上側のベルトが下側のベルトを押圧して、摩擦抵抗を増大させて、抜け出し阻止をする。すなわち引張応力が発生しない時は阻止力も小さい、しかも上下に重なった部分全面で阻止するので、単位面積当りの負荷は少ない、したがってベルトの寿命が長くなる。【００１５】  しかも、重なった部分全面で抜け出し阻止をすると云うことは、バックルを片側ずつ持ち上げれば、半分の力で押えればよいので、増締めや少弛緩の際楽である。【００１６】  図５は双方向受止式無穴用バックルの平面図であるが、図の様な形状であるから、バックルを９０°回転させると簡単に取り外せ、また取り付けも９０°回転させて簡単に取り付けることが出来る。【００１７】  図１、図４、図５の通り、双方向受止式有穴用バックルも、双方向受式無穴用バックルも、裏表同じ形なので裏返しても、同じ効果を発揮する。
【発明の効果】
【００１８】  両端差込式ベルトと、双方向受止式バックルの組合せは、ベルトの両端共差込式であるから、一端で１０ｃｍ長さ調節が出来ると、ベルトの両端では２０ｃｍの長さの調節が出来、長さ調節が楽に出来る。【００１９】  その上、双方向受止式のバックルであるから、他のベルトを連結することも可能で、多数のベルトを多数のバックルで連結することが可能である、したがって子供用の短いベルトを２本連結して大人用に、３本連結して力士用にすることが出来る。ただし強度の問題があるので力士用や大人用には、それぞれに合った巾広のベルトとバックルが必要である。【００２０】  この様に連結すると、それぞれのベルトで長さ調節が出来るので大巾な長さ調節が可能となる。【００２１】  連結が楽に出来るので、短いベルトとバックルが多種類あれば、使用者が好みに合せて、バックルとベルトの組合せを簡単に迸ぶ事が出来る。【００２２】  バックルが双方向受止式であるから、バックルをベルトに装着するのと、ベルトを胴体に締め付け固定するのとは、ほとんど同じ動作で出来るので、バックルの交換は簡単に行なえる。【００２３】  そこで、バックルとベルトのそれぞれの裏表を、材質、色、柄を変えておけば例へば、ベルトとバックルの組合せが３組あれば
（ベルトの数）３×（ベルトの裏表）２×（バックルの数）３×（バックルの裏表）２＝３６通りの順列組合せとなり、わずか３組のベルトとバックルの組合せで、一ヶ月間毎日違ったベルトを締めて行くのと同じ効果を演出出来ることとなる。【００２４】  両端差込式有穴ベルトと双方向受止式有穴用バックルの組合せでは、図３の断面図の様に心針を傾斜させてあるので、ベルトに引張応力が働くと、上側のベルトは心針の傾斜に沿って下方に移動し、下側のベルトは心針の傾斜に沿って上方に移動し、上下のベルトは密着することとなり、ほぼ一直線となるので、回転モーメントはほとんど発生せず、引張応力は上下のベルトで同じ力で方向が逆なので相殺される、但し心針に対して剪断力が発生するので、これに対抗出来る材料であれば、心針の保持力はあまり必要とされないので安価に製造出来る。【００２５】  であるから、図４の様に針金を細工しても実用になる、図４はたまたま三角形が２つ違った形であるが、これが円形でも四角形でも効果は同じである。【００２６】  両端差込式有穴ベルトは、左半分と右半分で穴間隔を変化させると、例へば、左側は５ｃｍ間隔、右側は４ｃｍ間隔にしておくと、心針で止めてあった穴位置から右側に一穴移動すると１ｃｍ長くなり、左側に一穴移動すれば、１ｃｍ短かくなる。すなわち、左右の穴間隔の差だけ微調整が可能となる。さらに、双方向受止式有穴用バックルであるから、他のベルトとも連結出来るので、他のベルトは５ｃｍと３ｃｍの穴間隔にすれば、一穴の移動で１〜５ｃｍの移動が可能となる。【００２７】  双方向受止式有穴用バックルの心針の先端部には特段の負荷が掛らないので、宝石等を埋め込める、心針は細いので小粒で良く、しかも、ベルトの上に突起状に出るので小さくてもその存在感は大きい。【００２８】  双方向受止式無穴用バックルは、図５の様に可動部分が無いので故障が無い、又単一部品なので安価に製造出来る。【００２９】  双方向受止式無穴用バックルは、図５の様な形状なので、バックルを９０°回転させると簡単に取外せる。また、取付ける時も９０°回転させて簡単に取付けることが出来る。【００３０】  図７は双方向受止式無穴用バックルの使用中断面であるが、この様にベルトが上下に重なっているので、ベルトに引張応力が働くと、上側のベルトが下側のベルトを押圧して、摩擦抵抗を増大させて、抜け出しを阻止しているので、引張応力に応じて阻止力が増大し、引張応力が小さい時には阻止力も小さくなる。しかも上下重なった部分全面で阻止するので、単位面積当りの負荷が小さい、したがってベルトの寿命が長くなる。【００３１】  図１、図４、図５の通り裏表同形なので裏返しても同様に使用出来る。
【図面の簡単な説明】
【００３２】
【図１】双方向受止式有穴用バックルの平面図
【図２】双方向受止式有穴用バックルの使用中の平面図
【図３】図２のＡ−Ａ断面図
【図４】双方向受止式有穴用バックルの針金細工の平面図
【図５】双方向受止式無穴用バックルの平面図
【図６】双方向受止式無穴用バックルの使用中平面図
【図７】図６のＢ−Ｂ断面図
【符号の説明】
【００３３】  １  双方向受止式有穴用バックルの心針
２  双方向受止式有穴用バックルの本体
３  両端差込式有穴ベルトの穴部分
４  両端差込式有穴ベルトの左側
５  両端差込式有穴ベルトの右側
６  双方向受止式有穴用バックルの針金細工の本体部分
７  双方向受止式無穴用バックルの本体
８  両端差込式無穴ベルトの右側
９  両端差込式無穴ベルトの左側
【図１】
2010246877.tif 000003
【図２】
2010246877.tif 000004
【図３】
2010246877.tif 000005
【図４】
2010246877.tif 000006
【図５】
2010246877.tif 000007
【図６】
2010246877.tif 000008
【図７】
2010246877.tif 000009